(57)【要約】【課題】サムネイル画像を自動的に作成し、そのサムネイル画像を確認しながらユーザーが所望するシーンへと効率的にジャンプできるようにする。【解決手段】リモコン４の録画停止と連動して、サムネイル画像作成部１０は録画された映像データからサムネイル用の静止画を一定間隔毎に抽出し、サムネイル画像を作成する。各サムネイル画像はタイマー部７により、録画開始時刻からの経過時間と共にメモリー部１１に記憶される。再生中、スキップキーが操作されると、その操作時刻を基準として複数のサムネイル画像が一覧表示される。表示されたサムネイル画像の一つを選択すると、そのサムネイル画像のシーンから再生が開始される。【選択図】図３
2007116472.tif 000002
【特許請求の範囲】
【請求項１】
記録媒体に記録されている画像及び音声の再生並びに外部から入力される画像音声信号を前記記録媒体に記憶するための処理を行う映像音声処理部と、サムネイル画像を記憶する記憶手段と、各種操作を入力するための入力手段と、時間をカウントするタイマー部とを備えた記録再生装置であって、前記入力手段による録画時に前記タイマー部によって時間をカウントするとともに、少なくとも前記入力手段による録画終了動作と連動して前記録画開始時から任意の間隔で前記記録媒体に記憶された映像データからサムネイル用の静止画を自動的に抽出し、これを前記記憶手段にサムネイルデータとして時間情報と共に記憶させるサムネイル画像作成部と、前記入力手段の操作と連動して記憶手段に記憶した前記サムネイルデータを呼び出して前記タイマー部によって時間情報が付加された複数のサムネイル画像をモニタ部に一覧表示するためのサムネイル画像表示処理部とを設けたことを特徴とする記録再生装置。
【請求項２】
前記映像データの再生時に前記タイマー部は再生開始時からの時間をカウントし、前記入力手段によるスキップ操作が入力された場合、前記タイマー部でカウントしたスキップ操作の入力時間を基準として前記サムネイルデータからスキップ操作の入力時間に対応する複数のサムネイル画像を抽出してモニタ上に一覧表示し、前記入力手段による任意のサムネイル画像の選択決定操作と連動して選択したサムネイル画像に対応したシーンから再生を開始するように構成したことを特徴とする請求項１記載の記録再生装置。
【請求項３】
前記スキップ操作がＣＭスキップ操作である場合、前記サムネイルデータからスキップ操作の入力時間を基準としてスキップ操作後に対応する複数のサムネイル画像を抽出して一覧表示してなることを特徴とする請求項２記載の記録再生装置。
【請求項４】
前記スキップ操作がジャンプ操作である場合、前記サムネイルデータからジャンプ操作の入力時間を基準としてスキップ操作時間前後に対応する複数のサムネイル画像を抽出して一覧表示してなることを特徴とする請求項２記載の記録再生装置。
【請求項５】
前記ＣＭスキップ操作時においてモニタ部に一覧表示させた各サムネイル画像が時間経過した次のサムネイル画像へと切り換え表示可能としたことを特徴とする請求項３記載の記録再生装置。
【請求項６】
前記ジャンプ操作時においてモニタ部に一覧表示させた各サムネイル画像間の表示間隔が拡大又は縮小可能であって、その各サムネイル画像間の表示間隔に連動して一覧表示のサムネイル画像が切り換え表示されることを特徴とする請求項４記載の記録再生装置。
【発明の詳細な説明】
【技術分野】
【０００１】
本発明は、記録再生装置に係り、特に記憶媒体に記憶された映像データからサムネイル用の静止画を自動的に抽出してサムネイル画像として一覧表示可能な記録再生装置に関する。
【背景技術】
【０００２】
近年、記録及び再生が可能な記録再生装置としてＤＶＤ−ＲＡＭ等の光ディスクや又はハードディスなどの記憶媒体を用いた記憶再生装置が種々開発されている。このような記録及び再生が可能な記憶再生装置は、記憶媒体に記憶された画像の代表的な場面を静止画であるサムネイル画像としてモニタ部などに一覧表示させ、目的の画像への検索性を向上させるナビ機能を備えた装置が多い。
【０００３】
このようなナビ機能の一つとしてＣＭ部分を飛ばして目的の画像への検索性を向上させるいわゆるＣＭスキップ機能がある。この種のＣＭスキップ機能として、例えば特許文献１では、データストリーム再生中のスキップ操作を検出し、そのスキップ操作が第１回目のスキップ操作であるのか、それとも当該データストリームの再生中における第２回目以降のスキップ操作であるのかを判定し、スキップ時間を例えば３０秒間隔とした場合、前記判定手段の結果が第１回目のスキップ操作を示している場合、タイムラグ（２秒）を想定して所定のスキップ時間より短い２７秒でスキップを実行し、第２回目以降のスキップ操作である場合、所定の３０秒間隔でスキップを実行するように構成した再生装置が開示されている。
【０００４】
【特許文献１】特開２００４−３６３８０８号公報
【発明の開示】
【発明が解決しようとする課題】
【０００５】
前記特許文献１に示す再生装置においては最初のスキップ操作は、タイムラグを想定して所定のスキップ時間より短いステップ時間でスキップし、それ以後、所定のスキップ時間でスキップすることができるが、ＣＭ時間が長いと、画面を確認しながらユーザーが望むシーンに到達するまで何回もスキップ操作を繰り返す必要があり、操作性に劣る。また、ユーザーが所望のシーンまでジャンプさせる場合、例えば、カウンタなどに時間表示に基づいてユーザーが直接、リモコンなどによって数値を入力してジャンプする方法もある。しかし、この場合、ジャンプ先のシーンを確認することができないため、必ずしもユーザーが望むシーンへと効率的にジャンプするとは限らない。また、記録時にチャプターマークを適宜入力することによって、サムネイルデータを生成し、これを前述したようにサムネイル画像として一覧表示し、ユーザーが所望したシーンのサムネイル画像を選択してジャンプすることもできるが、このようなサムネイル画像を作成するためには、ユーザーが自ら所望するシーンにチャプターマークを入力する必要があるから、非効率的で使い勝手が悪いという課題を有していた。
【０００６】
本発明は上記課題を鑑みてなされたものであり、ユーザーが意識することなくサムネイル画像を簡単に作成でき、そのサムネイル画像を選択することで簡単かつ容易にユーザーが所望するシーンへと効率的にジャンプすることができる記録再生装置を提供することを目的とする。
【課題を解決するための手段】
【０００７】
請求項１記載の記録再生装置は、記録媒体に記録されている画像及び音声の再生並びに外部から入力される画像音声信号を前記記録媒体に記憶するための処理を行う映像音声処理部と、サムネイル画像を記憶する記憶手段と、各種操作を入力するための入力手段と、時間をカウントするタイマー部とを備えた記録再生装置であって、前記入力手段による録画時に前記タイマー部によって時間をカウントするとともに、少なくとも前記入力手段による録画終了動作と連動して前記録画開始時から任意の間隔で前記記録媒体に記憶された映像データからサムネイル用の静止画を自動的に抽出し、これを前記記憶手段にサムネイルデータとして時間情報と共に記憶させるサムネイル画像作成部と、前記入力手段の操作と連動して記憶手段に記憶した前記サムネイルデータを呼び出して前記タイマー部によって時間情報が付加された複数のサムネイル画像をモニタ部に一覧表示するためのサムネイル画像表示処理部とを設けたことを特徴とする。
【０００８】
請求項１の構成により、チューナなどから送られる放送番組を記憶媒体に録画する際、その録画動作の終了と同時又はそれ以降、すなわち、リモコンの録画停止キーあるいはタイマー録画終了後、タイマー部を作動し、タイマー部によって時間をカウントするとともに、サムネイル画像作成部により、記憶媒体に記憶された映像データからサムネイル用の静止画を任意の間隔毎に抽出してサムネイル画像を作成し、これを順次メモリー部に記憶する。メモリー部に記憶されたサムネイル画像は、サムネイル画像表示処理部にて、サムネイル一覧表示データを生成し、リモコンの操作によってモニタ部に例えば６個に分割したサムネイル画像を一覧表示する。
【０００９】
請求項２記載の記録再生装置は、請求項１記載の記録再生装置において、前記映像データの再生時に前記タイマー部は再生開始時からの時間をカウントし、前記入力手段によるスキップ操作が入力された場合、前記タイマー部でカウントしたスキップ操作の入力時間を基準として前記サムネイルデータからスキップ操作の入力時間に対応する複数のサムネイル画像を抽出してモニタ上に一覧表示し、前記入力手段による任意のサムネイル画像の選択決定操作と連動して選択したサムネイル画像に対応したシーンから再生を開始するように構成したことを特徴とする。
【００１０】
請求項２の構成により、記憶媒体に記憶された映像データの再生中にスキップキーを押すと、スキップキーを押した時刻以降の例えば６個に分割したサムネイル画像を一覧表示する。ユーザーはサムネイル画像が表示されたナビ画面から目的のサムネイル画像を選択すると、そのサムネイル画像に対応したシーンにタイムジャンプして再生を開始する。
【００１１】
請求項３記載の記録再生装置は、請求項２記載の記録再生装置において、前記スキップ操作がＣＭスキップ操作である場合、前記サムネイルデータからスキップ操作の入力時間を基準としてスキップ操作後に対応する複数のサムネイル画像を抽出して一覧表示してなることを特徴とする。
【００１２】
請求項３の構成により、記憶媒体に記憶された映像データの再生中にＣＭが始まった場合、例えば、ユーザーはＣＭ開始を確認してスキップキーを押すから、スキップキーを押すまでのタイムラグを考慮してスキップキーを押した時刻からタイムラグを引いた時間以降の例えば６個に分割したサムネイル画像を一覧表示する。ユーザーはサムネイル画像が表示されたナビ画面から本編が始まっているサムネイル画像を選択すると、そのサムネイル画像に対応したシーンにタイムジャンプして再生が開始される。
【００１３】
請求項４記載の記録再生装置は、請求項２記載の記録再生装置において、前記スキップ操作がジャンプ操作である場合、前記サムネイルデータからジャンプ操作の入力時間を基準としてスキップ操作時間前後に対応する複数のサムネイル画像を抽出して一覧表示してなることを特徴とする。
【００１４】
請求項４の構成により、記憶媒体に記憶された映像データの再生中、ユーザーが目的のシーンを検索する際、リモコンのジャンプキーが押されると、ジャンプキーが押された時点の時間をカウントし、ジャンプキーが押されたシーンを挟んで前後に例えば６つサムネイル画像が一覧表示される。ユーザーは一覧表示されたサムネイル画像が表示されたナビ画面を見ながらジャンプするシーンを探索し、目的のサムネイル画像を選択すると、そのサムネイル画像に対応したシーンにタイムジャンプして再生を開始される。
【００１５】
請求項５記載の記録再生装置は、請求項３記載の記録再生装置において、前記ＣＭスキップ操作時においてモニタ部に一覧表示させた各サムネイル画像が時間経過した次のサムネイル画像へと切り換え表示可能としたことを特徴とする。
【００１６】
請求項５の構成により、記憶媒体に記憶された映像データの再生中、ユーザーが目的のシーンを検索する際、リモコンのジャンプキーが押されると、ジャンプキーが押された時点の時間をカウントし、ＣＭスキップキーが押されたシーン以降の例えば６つサムネイル画像が一覧表示され、このサムネイル画像にＣＭ後の本編のシーンが無い場合、その後のサムネイル画像が表示され、目的のサムネイル画像が表示されるまでサムネイル画像へと順次、切り換え表示することが可能となる。
【００１７】
請求項６記載の記録再生装置は、請求項４記載の記録再生装置において、前記ジャンプ操作時においてモニタ部に一覧表示させた各サムネイル画像間の表示間隔が拡大又は縮小可能であって、その各サムネイル画像間の表示間隔に連動して一覧表示のサムネイル画像が切り換え表示されることを特徴とする。
【００１８】
請求項６の構成により、ナビ画面にサムネイル画像が表示された状態でリモコンのカーソルキーなどでサムネイル画像間の表示間隔を拡大操作すると、サムネイル画像が順次切り換わり、目的のシーンのサムネイル画像が表示されたら、目的のサムネイル画像を選択することによって、サムネイル画像のシーンにタイムジャンプして再生が開始される。また、予めサムネイル画像を作成して記憶しておくことで、ＣＭスキップなどのキー操作が入力されてサムネイル画像をリアルタイムで作成するより処理が速くなる。
【発明の効果】
【００１９】
請求項１記載の記録再生装置によれば、記録媒体に記録されている画像及び音声の再生並びに外部から入力される画像音声信号を前記記録媒体に記憶するための処理を行う映像音声処理部と、サムネイル画像を記憶する記憶手段と、各種操作を入力するための入力手段と、時間をカウントするタイマー部とを備えた記録再生装置であって、前記入力手段による録画時に前記タイマー部によって時間をカウントするとともに、少なくとも前記入力手段による録画終了動作と連動して前記録画開始時から任意の間隔で前記記録媒体に記憶された映像データからサムネイル用の静止画を自動的に抽出し、これを前記記憶手段にサムネイルデータとして時間情報と共に記憶させるサムネイル画像作成部と、前記入力手段の操作と連動して記憶手段に記憶した前記サムネイルデータを呼び出して前記タイマー部によって時間情報が付加された複数のサムネイル画像をモニタ部に一覧表示するためのサムネイル画像表示処理部とを設けたことにより、記録再生装置の録画動作の終了時又はそれ以降に任意の間隔でサムネイル画像を自動的に作成することができ、サムネイル画像作成に伴うユーザーの負担を削減することができるとともに、そのサムネイル画像を一覧することで、そのサムネイル画像を確認しながら容易に目的のシーンを検索することができる。
【００２０】
請求項２記載の記録再生装置によれば、請求項１記載の記録再生装置において、前記映像データの再生時に前記タイマー部は再生開始時からの時間をカウントし、前記入力手段によるスキップ操作が入力された場合、前記タイマー部でカウントしたスキップ操作の入力時間を基準として前記サムネイルデータからスキップ操作の入力時間に対応する複数のサムネイル画像を抽出してモニタ上に一覧表示し、前記入力手段による任意のサムネイル画像の選択決定操作と連動して選択したサムネイル画像に対応したシーンから再生を開始するように構成したことにより、一覧表示されたサムネイル画像を選ぶだけで、ユーザーが所望するシーンに簡単かつ容易にジャンプすることができる。
【００２１】
請求項３記載の記録再生装置によれば、請求項２記載の記録再生装置において、前記スキップ操作がＣＭスキップ操作である場合、前記サムネイルデータからスキップ操作の入力時間を基準としてスキップ操作後に対応する複数のサムネイル画像を抽出して一覧表示してなることにより、ＣＭスキップに際し、入力操作はＣＭスキップ操作とサムネイル画像の選択操作の２回の入力操作で済むから、操作性に優れる。
【００２２】
請求項４記載の記録再生装置によれば、請求項２記載の記録再生装置において、前記スキップ操作がジャンプ操作である場合、前記サムネイルデータからジャンプ操作の入力時間を基準としてスキップ操作時間前後に対応する複数のサムネイル画像を抽出して一覧表示してなることを特徴とする。
【００２３】
請求項５記載の記録再生装置によれば、請求項３記載の記録再生装置において、前記ＣＭスキップ操作時においてモニタ部に一覧表示させた各サムネイル画像が時間経過した次のサムネイル画像へと切り換え表示可能としたことにより、例えば時間の長いＣＭをスキップする際、ＣＭ後の目的のサムネイル画像が表示されるまでサムネイル画像を順次、切り換え表示することができため、簡単かつ迅速にＣＭをスキップすることができる。
【００２４】
請求項６記載の記録再生装置によれば、請求項４記載の記録再生装置において、前記ジャンプ操作時においてモニタ部に一覧表示させた各サムネイル画像間の表示間隔が拡大又は縮小可能であって、その各サムネイル画像間の表示間隔に連動して一覧表示のサムネイル画像が切り換え表示されることにより、先ずサムネイル画像の表示間隔を拡大させた状態からカーソルキーなどによって表示間隔を狭めることで、目的のシーンの絞込み検索が効率的に行える。
【発明を実施するための最良の形態】
【００２５】
以下、本発明を実施するための最良の形態としての一実施例を図１〜図１０を参照して説明する。もちろん、本発明は、その発明の趣旨に反さない範囲で、実施例において説明した以外のものに対しても容易に適用可能なことは説明を要するまでもない。
【００２６】
図１のブロック図を参照して本発明の構成について説明する。図１において、１はチューナ、２はＤＶＤ−ＲＡＭ等の光ディスクや又はハードディスなどの録画と消去が繰り返し行える記憶媒体、３は前記チューナ１からの映像音声信号を変換して記憶媒体２に記録するための処理並びに該記憶媒体２に記憶された映像音声データを再生する等の処理を行う映像音声処理部、４はスキップキー、再生キー、メニューキー、カーソルキー、決定キーなどの各種操作キー（図示せず）を備えた入力手段としてのリモコン、５は本装置全体の各種の制御をするためのマイコンであり、このマイコン５は前記リモコン４からのキー入力を受け付けるキー処理部６、時間をカウントするタイマー部７、マイコン５全体の各種の制御をするための制御部８、前記キー処理部６からの信号を受けてタイマー部７や制御部８などに制御信号を出力する指示部９、サムネイルデータを生成するためのサムネイル画像作成部１０、サムネイルデータにより記憶手段としてのメモリー部１１に記憶されたサムネイル画像をモニタ部１２に一覧表示するためのデータを作成するサムネイル画像表示処理部１３、スキップ動作制御部１４などを備える。なお、モニタ部１２は本装置に備えるものではなく外部の表示装置でも構わない。
【００２７】
次に、サムネイルデータ生成及びサムネイル画像の一覧表示の流れの概要を説明する。例えば、チューナ１からの送られる放送番組を記憶媒体２に録画する際、その録画動作の終了と同時又はそれ以降、すなわち、リモコン４の録画停止キーあるいはタイマー録画動作終了後、サムネイル画像作成に割り当てた任意のキー（図示せず）を押すと、指示部９からの制御信号によりタイマー部７を作動し、タイマー部７によって時間をカウントするとともに、制御部８の制御により、記憶媒体２に記憶された映像データからサムネイル用の静止画を任意の間隔毎に抽出してサムネイル画像作成部１０によってサムネイル画像を作成し、これを順次メモリー部１１に記憶する。なお、このサムネイル画像は装置が持つ最低限の画質でメモリー部１１に記憶される。メモリー部１１に記憶されたサムネイル画像は、サムネイル画像表示処理部１３により、サムネイル一覧表示データを生成し、リモコン４の操作によって図２に示すようにモニタ部１２に例えば、６個に分割したサムネイル画像を一覧表示する。ここで文字情報等の各種情報を加えて、モニタ部１２でサムネイル画像を一覧表示し、これをナビ画面１５として表示する。なお、本実施例ではモニタ部１２で表示されるサムネイル画像の表示間隔、すなわち、前記映像データからサムネイル用の静止画を抽出する間隔は最小で３０秒に設定されているが、最大で総録画時間を分割数で割った秒数まで変更することが可能である。すなわち、サムネイル画像が６分割で総録画時間が２時間とした場合はサムネイル用の静止画を抽出する間隔の最大は２０分であり、ナビ画面１５を表示させた状態でリモコン４の上下キーなどを操作することによって、最小の３０秒から最大で２０分までを３０秒毎にサムネイル画像を切り換えることが可能である。
【００２８】
次に、図５フローチャートを参照して放送番組（タイトル）録画終了後のサムネイル生成処理の流れについて説明する。タイトルａの録画が終了すると（ステップＳ１）、そのタイトルａが記憶媒体２に記憶された何番目かを判別するために、記憶媒体２に記憶された録画済みの放送番組数を検出し、順次、録画されたタイトル毎に連番の番号を付与する（ステップＳ２）。例えば、３番目に録画されたのであればタイトル３となる。次に録画されたタイトルａの長さ（総録画時間）ｂを計る（ステップＳ３）。サムネイル画像はタイマー部７による時間情報と共にメモリー部１１に記憶されおり、本実施例ではサムネイル画像の表示間隔は初期値において３０秒である。したがって、メモリー部１１には順次サムネイル画像毎に「３０、６０、９０」の時間情報の数値が記憶されるが、メモリー部１１には単に「１,２,３」という数字（順番）を変数ｉとして記憶し（ステップＳ４）、これらの数字は実際には３０をかけるという意味を持たせるように処理すればメモリー部１１におけるメモリ量は削減できる。このようにして、メモリー部１１にタイトルａの時間「ｉ×３０」（秒）のタグ「ａ：ｉ」と共に最初の静止画を記憶し（ステップＳ５）、それ以降、２番目以降の静止画に３０秒をプラス（ｉ＝ｉ＋１）したタグを付与して（ステップＳ６）、タイトルａの録画残り時間が３０秒未満となった時点で処理を終了する（ステップＳ７、Ｓ８）。
【００２９】
図６は放送番組（タイトル）録画終了後における他の処理を示すフローチャートである。図５のフローチャートでは、静止画に３０秒毎のタグを付加するためにステップ４にて「１,２,３」という数字（順番）の変数ｉとしてメモリー部１１に記憶し、これらの数字は実際には３０をかけるという意味を持たせるように処理したが、サムネイル画像の表示間隔である時間（３０秒）を変数ｉとして置き変えることによって（ステップＳ１４）、メモリー部１１にタイトルａの時間「ｉ×３０」（秒）のタグ「ａ：ｉ」と共に最初の静止画を記憶し（ステップＳ１５）、それ以降、２番目以降の静止画に３０秒をプラス（ｉ＝ｉ＋３０）したタグを付与し（ステップＳ１６）、タイトルａの録画残り時間が３０秒未満となった時点で終了するようにしてもよい（ステップＳ１７、Ｓ１８）。
【００３０】
次に図７のフローチャートを参照してＣＭスキップ操作の流れについて説明する。タイトルｘの再生を開始し（ステップＳ２０）、再生中、リモコン４のスキップ（ｓｋｉｐ）キー（図示せず）が押されると（ステップＳ２１）、スキップキーが押された時点の時間ｔをカウントし、その時間ｔから２,３秒のタイムラグを引いた後、更に３０の倍数にするために、不要部分を切り捨てた時間ｔ１を算出する。例えば、時間ｔを３０で割った余りの秒数を算出し、時間ｔからその秒数を引く（ｔ１＝（ｔ  ｍｏｄ  ３０））ことによって算出する（ステップＳ２３）。この時間ｔ１を基準としてサムネイル画像表示処理部１３によって図８に示すようにモニタ部１２に例えば、６個に分割したサムネイル画像を一覧表示し、これをナビ画面１５としてモニタ部１２に表示する。すなわち、前述した通り、メモリー部１１に記憶されたサムネイル画像にはそれぞれタイマー部７による時間情報のタグが対応付けされており、スキップキーが押された時点の時間ｔからスキップ操作に伴うタイムラグを引いた後、３０の倍数にするために不要な時間を切り捨てた時間ｔ１に近いタグが付加されたサムネイル画像からそれ以降の５つ目のサムネイル画像を抽出し、これをモニタ部１２に一覧表示させる。この表示に際し、ステップＳ２４においてｉは、サムネイル画像をモニタ部１２上のどの位置に表示させるかを表すもので、１がモニタ部１２の左上に表示され、６がモニタ部１２の左上に表示される（ステップＳ２５〜Ｓ２７）。このようにしてナビ画面１５に表示される６つのサムネイル画像を見ながらＣＭ部分のサムネイル画像を確認する。各サムネイル画像の表示間隔は３０秒毎であるから、６つのサムネイル画像では合計１８０秒である。６つのＣＭ後の本編のサムネイル画像が無い場合、リモコン４の「０」の数字キーを入力することでモニタ部１２の右下に表示された６番目のサムネイル画像、すなわち、時間的に最も遅いサムネイル画像の次の６のサムネイル画像が新たに表示され、リターン（ｒｅｔｕｒｎ）キーを入力することで元の６のサムネイル画像に戻る。そして、「０」あるいはリターンキーの入力によって目的のサムネイル画像（ＣＭ後の本編のサムネイル画像）が表示されるまで繰り返す（ステップＳ２８〜Ｓ３０）。このように、リモコン４の「０」の数字キー又はリターンキーを押した回数分、１８０秒毎にタイムシフトし、目的のサムネイル画像が表示された場合には、サムネイル画像の番号に対応したリモコン４の数字キー「１〜６」を押すことによって、そのサムネイル画像に対応した時間にタイムジャンプする（ステップＳ３１）。なお、サムネイル画像を選んでサムネイル画像のシーンにタイムジャンプするかサムネイル画像の番号によってスキップキーが押された時点の時間ｔから２,３秒のタイムラグを引いて３０倍数の時点にタイムジャンプするかはユーザーが予め設定しておく（ステップＳ３１）。また、本編が始まっている時点のサムネイル画像を選択して僅かに巻き戻すか、本編直前の時点の画像を選択して僅かに早送りするかはユーザーの任意である。このようにしてサムネイル画像を選んでタイムジャンプすると処理を停止する（ステップＳ３２）。
【００３１】
図３はＣＭスキップ操作に伴う時間の流れを示す説明図であり、記憶媒体２に記憶された放送番組の再生中にＣＭが始まった場合、例えば、再生開始から０：００：４５にＣＭが始まって０：０２：４５でＣＭが終ったとすると、ユーザーはＣＭ開始を確認してスキップキーを押すから、スキップキーを押すまでのタイムラグがあるので実際スキップキーを押した時点はＣＭ開始から数秒後であり、図３ではタイムラグを例えば３秒、すなわち、０：００：４８にスキップキーを押したとする。このスキップキーの操作により、メモリー部１１からスキップキーを押した時刻からタイムラグ（３秒）を引いた数字（ｔ０）より後ろの０：００：４５以降の６つのサムネイル画像、すなわち、図４に示すように、０：０１：００、０：０１：３０、０：０２：００・・・０：０３：３０のサムネイル画像がモニタ部１２には順次、表示される。ユーザーはサムネイル画像が表示されたナビ画面１５から本編が始まっている時点のサムネイル画像、図４においては５と６が本編のサムネイル画像でありリモコン４の数字キー「５」を押して５のサムネイル画像を選択する。ここで、マイコン４の内部処理によって、選んだ番号から１を引いた数字にサムネイル画像の表示間隔である３０（秒）を掛けて求められた数字をｔ１とするとｔ０＋ｔ１にタイムジャンプする。すなわち、図３に当てはめるとＣＭ期間はサムネイル４つの分で３０秒×４で２分、タイムラグが３秒で０：００：４８にスキップキーを押したことから０：０２：４５にタイムジャンプする。これにより２分間のＣＭがスキップする。また、このようなマイコン４の内部処理を行うこと無く、単に本編のサムネイル画像を選んで、そのサムネイル画像のシーンにタイムジャンプしてもよい。この場合、５のサムネイル画像を選択することになるから、０：０３：００から再生が開始する。
【００３２】
次に図９のフローチャートを参照してジャンプ操作の流れについて説明する。タイトルｘの再生を開始して（ステップＳ５０）、再生中、ユーザーからリモコン４のジャンプ（ｊｕｍｐ）キー（図示せず）が押されると（ステップＳ５１）、ジャンプキーが押された時点の時間ｔをカウントし、図１０のナビ画面１５で示すようにジャンプキーが押されたシーンを挟んで前後の６つサムネイル画像が表示される（ステップＳ５２、Ｓ５３、Ｓ５４）。ユーザーはナビ画面１５を見ながらジャンプするシーンを探索し、目的のサムネイル画像を選択する（ステップＳ５５）。このナビ画面１５に表示されるサムネイル画像の分割単位ｋは最小で初期値の３０秒、最大は総録画時間を分割数で割った秒数、例えば、総録画時間を２時間とした場合は６分割で表示されるサムネイル画像の時間間隔は最大で２０分となり、リモコン４の上下のカーソルキーを操作することによって１分、１分３０秒、２分・・・・２０分までサムネイル画像の分割表示間隔が変化する（ステップＳ５６、Ｓ５７、Ｓ５８、）。そして、目的のシーンを探すため、リモコン４の左右のカーソルキーを操作して目的の画像の選択状態を変える。（ステップＳ５９）。すなわち、サムネイル画像の選択状態Ｓは３とすると３番のサムネイル画像を選択され、左のカーソルキーを操作すれば選択状態Ｓは２番、１番へと変わり逆に右のカーソルキーを操作すれば選択状態Ｓは４番、５番、６番のサムネイル画像を変わる。こうしてリモコン４の上下のカーソルキー及び左右のカーソルキーを任意の順番で操作し、目的のサムネイル画像の分割表示間隔の拡大及び縮小及びサムネイル画像の選択の変更を繰り返し目的のサムネイル画像を見つけた後、リモコン４のエンターキーを操作すると、その選択したサムネイル画像のシーンから再生され（ステップＳ６０）、これにより処理を終了する（ステップＳ６１）。
【００３３】
なお、前記実施例において、録画動作と連動してサムネイル画像を自動的に作成し、サムネイル画像が作成完了した時点で録画停止とモニタ部にＯＳＤ表示又は装置の表示部に表示するが、実際タイマー録画や手動録画で停止時間に到達又はユーザにより停止キーが押された時点でサムネイル画像の作成を開始し、作成している間は録画未終了として、録画終了表示は行わない。但し、サムネイル画像作成中、再生及び録画操作があった場合は、それらを優先し、サムネイル画像作成を中断し、再生又は録画終了後に再開する。また、録画の場合は、サムネイル画像作成を作成しながら、録画画像を別のメモリに領域一旦退避させる形で開始する。
【００３４】
以上のように、本実施例においては、記録再生装置の録画動作の終了時又はそれ以降に任意の間隔でサムネイル画像を作成し、そのサムネイル画像を一覧することで、そのサムネイル画像を表示したナビ画面１５を確認することで記憶された放送番組などのシーンの内容を極めて容易に判断することができ、ＣＭ時間が長い場合であっても次のサムネイル画像を表示可能であるから、ＣＭスキップやジャンプする際の検索性が向上する。また、ジャンプする際、一覧表示したサムネイル画像の表示間隔を、所定の範囲内で拡大又は縮小することができるから、先ずサムネイル画像の表示間隔を拡大させた状態からカーソルキーなどによって表示間隔を狭めることで、目的のシーンの絞込み検索が効率的である。また、ＣＭスキップの際は、スキップキーを押してサムネイル画像を表示したナビ画面１５を呼び出し、目的のサムネイル画像を選択することで２回のキー操作でＣＭスキップが可能となり、操作性にも優れるとともに、サムネイル画像を確認しながらスキップ操作やジャンプ操作を行えるので操作も容易である。さらに、予めサムネイル画像を作成して記憶しておくことで、ＣＭスキップなどのキー操作が入力されてサムネイル画像をリアルタイムで作成するより処理が速くなる。
【００３５】
以上、本発明の一実施例について詳述したが、本発明は前記一実施例に限定されるものではなく、本発明の要旨の範囲内で種々の変形実施が可能である。例えば、前記本実施例では、記憶媒体としてＤＶＤ−ＲＡＭ、ハードディスクを例示して説明したが、これに限るものではなく他の記憶媒体の種類でもよい。また、メモリー部１１にサムネイル画像を記憶させた例を示したが録画する記憶媒体２に記憶するようにしてもよい。
【図面の簡単な説明】
【００３６】
【図１】本発明の一実施例のブロック図である。
【図２】同上、サムネイル一覧表示画面を示す説明図である。
【図３】同上、ＣＭスキップ操作に伴う時間の流れを示す説明図である。
【図４】同上、ＣＭスキップ操作に伴うサムネイル一覧表示画面を示す説明図である。
【図５】同上、サムネイル生成処理の流れを示すフローチャートである。
【図６】同上、サムネイル生成処理の変形例を示すフローチャートである。
【図７】同上、ＣＭスキップの流れを示すフローチャートである。
【図８】同上、ＣＭスキップ操作時のサムネイル一覧表示画面を示す説明図である。
【図９】同上、ジャンプ操作の流れを示すフローチャートである。
【図１０】同上、ジャンプ操作時のサムネイル一覧表示画面を示す説明図である。
【符号の説明】
【００３７】
２  記憶媒体
３  映像音声処理部
４  リモコン（入力手段）
７  タイマー部
８  制御部
１０  サムネイル画像作成部
１１  メモリー部（記憶手段）
１３  サムネイル画像表示処理部
１４  スキップ動作制御部
１５         モニタ部
【図１】
2007116472.tif 000003
【図２】
2007116472.tif 000004
【図３】
2007116472.tif 000005
【図４】
2007116472.tif 000006
【図５】
2007116472.tif 000007
【図６】
2007116472.tif 000008
【図７】
2007116472.tif 000009
【図８】
2007116472.tif 000010
【図９】
2007116472.tif 000011
【図１０】
2007116472.tif 000012